(57)【要約】【課題】  モードをまたがって設定を継続した場合でも移行前の設定項目を引き継ぐことが可能な機器操作装置を提供する。【解決手段】  機器の操作可能なすべての操作項目を機能別に分類し、その分類をさらに最終的な設定項目に至るまで細分化して多階層の木構造を持った階層メニューを作成し、この階層メニュー項目を選択または値設定することによって機器を操作する機器操作装置において、機器の項目を設定するための第１入力部２−２および第２入力部１６と、項目の設定状態を表示する表示部２−１と、メニュー項目を階層メニュー上の位置として管理するメニュー制御部１１と、機器の状態変化を管理する機器状態管理部１２とを備えた。【選択図】        図２
2005104129.tif 000002
【特許請求の範囲】
【請求項１】
機器の操作可能なすべての操作項目を機能別に分類し、その分類をさらに最終的な設定項目に至るまで細分化して多階層の木構造を持った階層メニューを作成し、この階層メニュー項目を選択または値設定することによって機器を操作する機器操作装置において、
機器の項目を設定するための第１入力部および第２入力部と、項目の設定状態を表示する表示部と、階層メニュー項目を階層メニュー上の位置として管理するメニュー制御部と、機器の状態変化を管理する機器状態管理部とを備え、
機器状態管理部は、第１入力部から指示された項目を機器に通知することによって通知後の設定状態を表示部に表示させると共に、通知後の設定状態に対応する表示変化項目を受け取り、変化項目変換表により機器の変化項目からメニュー項目の状態に変換してメニュー制御部に通知することを特徴とする機器操作装置。
【請求項２】
機器の操作可能なすべての操作項目を機能別に分類し、その分類をさらに最終的な設定項目に至るまで細分化して多階層の木構造を持った階層メニューを作成し、この階層メニュー項目を選択または値設定することによって機器を操作する機器操作装置において、
機器の項目を設定するための第１入力部および第２入力部と、項目の設定状態を表示する表示部と、階層メニュー項目を階層メニュー上の位置として管理するメニュー制御部と、機器の状態変化を管理する機器状態管理部とを備え、
メニュー制御部は、第２入力部から指示された階層メニュー項目を選択し、機器状態管理部は、メニュー制御部で選択されたメニュー項目を受け取り、メニュー項目変換表によりメニュー項目から機器の設定項目に変換し、変換された設定項目を機器に通知することを特徴とする機器操作装置。
【請求項３】
請求項２記載の機器操作装置において、表示部にて機器に通知後の設定状態を表示させ、機器状態管理部は、表示変化項目を受け取り、変化項目変換表により機器の変化項目から階層メニュー項目のメニューの変化項目に変換し、メニュー制御部に通知することを特徴とする機器操作装置。
【請求項４】
請求項１に記載の機器操作装置において、第１入力部は、視覚情報を使用して操作することを特徴とする機器操作装置。
【請求項５】
請求項２又は３に記載の機器操作装置において、第２入力部は、視覚情報を使用しないで操作することを特徴とする機器操作装置。
【請求項６】
請求項１乃至５のいずれかに記載の機器操作装置において、第２入力部は、触覚により判断可能な入力手段を備えていることを特徴とする機器操作装置。
【請求項７】
請求項１乃至５のいずれかに記載の機器操作装置において、第２入力部は、音声を受け付ける入力手段を備えていることを特徴とする機器操作装置。
【請求項８】
請求項１乃至７のいずれかに記載の機器操作装置において、第２入力部は着脱可能であることを特徴とする機器操作装置。
【請求項９】
請求項８に記載の機器操作装置において、第２入力部は携帯電話が有する機能であることを特徴とする機器操作装置。
【請求項１０】
請求項１乃至９のいずれかに記載の機器操作装置を用いて、各種機能に対する設定項目を選択・決定してから画像形成を行うことを特徴とする画像形成装置。
【請求項１１】
請求項１０に記載の画像形成装置において、第１入力部は項目の入力が可能なタッチパネルであることを特徴とする画像形成装置。
【請求項１２】
請求項１０に記載の画像形成装置において、表示部は設定情報が表示可能な液晶画面であることを特徴とする画像形成装置。
【請求項１３】
コンピュータを請求項１乃至９のいずれかに記載の機器操作装置として機能させるためのプログラム。
【請求項１４】
請求項１３に記載のプログラムを記録したコンピュータ読み取り可能な記録媒体。
【発明の詳細な説明】
【技術分野】
【０００１】
本発明は、視覚を使用しないで操作可能な機器操作装置、その機器操作装置の機能を実行するためのプログラムおよびそのプログラムを記録したコンピュータ読み取り可能な記録媒体並びに画像形成装置に関するものである。
【背景技術】
【０００２】
複写装置、ファクシミリ装置、プリンタ装置、スキャナ装置やそれらの事務機器が提供する機能を１台に統合した複合機（Multi-Function Peripherals）等の画像形成装置に、音声および音によって操作のガイダンスが行われる「非視覚モード」と、タッチパネルと液晶表示によって操作が行われる「視覚モード」とを有する機器操作装置が、例えば特許文献１などに提案されている。
【特許文献１】特開２００３−１３１７７３公報
【発明の開示】
【発明が解決しようとする課題】
【０００３】
特許文献１の装置において、「視覚モード」、「非視覚モード」は、それぞれ晴眼者、視覚に障害がある人が主に使用することを想定している。ここで、設定の仕方がわからない「非視覚モード」使用者を「視覚モード」利用者が介助することを考える。この場合、まず「非視覚モード」利用者は、「視覚モード」利用者に設定したい内容を伝える。その後、その内容を理解した「視覚モード」利用者が、該当するタッチパネル上の項目を押せば、操作を支援できる。
ここで、もし「非視覚モード」利用者がさらに設定を継続する場合、「視覚モード」の利用者が入力した設定結果を「非視覚モード」の階層メニュー項目の位置や、設定内容にも反映しておく必要がある。そうしないと画面に表示されている設定内容とメニュー上の設定内容とに矛盾が起こり、操作できなくなってしまうからである。「非視覚操作モード」の設定結果を引き継いで「視覚操作モード」で使用する場合についても同様の問題がある。
本発明は、この問題を改善し、モードをまたがって設定を継続した場合でも移行前の設定項目を引き継ぐことが可能な機器操作装置および画像形成装置を提供することを目的とする。
また本発明は、利用者が視覚を使用しないで容易かつ確実に操作できる機器操作装置および画像形成装置を提供することを目的とする。
また、本発明は、視覚を使用しないモード利用者と視覚を使用するモード利用者との間で互いに円滑な支援が可能な機器操作装置および画像形成装置を提供することを目的とする。
【課題を解決するための手段】
【０００４】
上記目的を達成するために、請求項１記載の発明は、機器の操作可能なすべての操作項目を機能別に分類し、その分類をさらに最終的な設定項目に至るまで細分化して多階層の木構造を持った階層メニューを作成し、この階層メニュー項目を選択または値設定することによって機器を操作する機器操作装置において、機器の項目を設定するための第１入力部および第２入力部と、項目の設定状態を表示する表示部と、階層メニュー項目を階層メニュー上の位置として管理するメニュー制御部と、機器の状態変化を管理する機器状態管理部とを備え、機器状態管理部は、第１入力部から指示された項目を機器に通知することによって通知後の設定状態を表示部に表示させると共に、通知後の設定状態に対応する表示変化項目を受け取り、変化項目変換表により機器の変化項目からメニュー項目の状態に変換してメニュー制御部に通知することを特徴とする。
請求項２記載の発明は、機器の操作可能なすべての操作項目を機能別に分類し、その分類をさらに最終的な設定項目に至るまで細分化して多階層の木構造を持った階層メニューを作成し、この階層メニュー項目を選択または値設定することによって機器を操作する機器操作装置において、機器の項目を設定するための第１入力部および第２入力部と、項目の設定状態を表示する表示部と、階層メニュー項目を階層メニュー上の位置として管理するメニュー制御部と、機器の状態変化を管理する機器状態管理部とを備え、メニュー制御部は、第２入力部から指示された階層メニュー項目を選択し、機器状態管理部は、メニュー制御部で選択されたメニュー項目を受け取り、メニュー項目変換表によりメニュー項目から機器の設定項目に変換し、変換された設定項目を機器に通知することを特徴とする。
請求項３記載の発明は、請求項２記載の機器操作装置において、表示部にて機器に通知後の設定状態を表示させ、機器状態管理部は、表示変化項目を受け取り、変化項目変換表により機器の変化項目から階層メニュー項目のメニューの変化項目に変換し、メニュー制御部に通知することを特徴とする。
【０００５】
請求項４記載の発明は、請求項１に記載の機器操作装置において、第１入力部は、視覚情報を使用して操作することを特徴とする。
請求項５記載の発明は、請求項２又は３に記載の機器操作装置において、第２入力部は、視覚情報を使用しないで操作することを特徴とする。
請求項６記載の発明は、請求項１乃至５のいずれかに記載の機器操作装置において、第２入力部は、触覚により判断可能な入力手段を備えている機器操作装置を主要な特徴とする。
請求項７記載の発明は、請求項１乃至５のいずれかに記載の機器操作装置において、第２入力部は、音声を受け付ける入力手段を備えていることを主要な特徴とする。
請求項８記載の発明は、請求項１乃至７のいずれかに記載の機器操作装置において、第２入力部は着脱可能であることを主要な特徴とする。
請求項９記載の発明は、請求項８に記載の機器操作装置において、第２入力部は携帯電話が有する機能であることを主要な特徴とする。
請求項１０記載の発明は、請求項１乃至９のいずれかに記載の機器操作装置を用いて、各種機能に対する設定項目を選択・決定してから画像形成を行うことを特徴とする画像形成装置を最も主要な特徴とする。
請求項１１記載の発明は、請求項１０に記載の画像形成装置において、第１入力部は項目の入力が可能なタッチパネルであることを主要な特徴とする。
請求項１２記載の発明は、請求項１０に記載の画像形成装置において、表示部は設定情報が表示可能な液晶画面であることを主要な特徴とする。
請求項１３記載の発明は、コンピュータを請求項１乃至９のいずれかに記載の機器操作装置として機能させるためのプログラムを最も主要な特徴とする。
請求項１４記載の発明は、請求項１３に記載のプログラムを記録したコンピュータ読み取り可能な記録媒体を最も主要な特徴とする。
【発明の効果】
【０００６】
以上説明したように、請求項１〜７、１０〜１４によれば、設定操作後のタッチパネルの表示状態と階層メニュー項目の選択状態とを整合したので、「視覚モード」と「視覚操作モード」との協調性が得られる。またモードを変更しても、設定された状態を双方で共有できるので、健常者と障害がある人との間で円滑な操作支援を行うことができる。
請求項８〜９によれば、入力部を機器操作装置から外せるようにしたので、携帯電話など使用者が日ごろ慣れ親しんだ入力機器を用いて、よりいっそう操作性を向上できる。
【発明を実施するための最良の形態】
【０００７】
以下、図面を参照して本発明の好適な実施形態について説明する。
本実施形態では、使用する地域や使用者に合わせて設定項目を変更できるデジタル複合機（MFP:Multi-Function Peripherals）である画像形成装置を対象として説明する。
しかし、本発明の対象は、デジタル複合機に限ったものではなく、使用する地域や使用者に合わせて設定項目を変更できる機能を有する装置であれば応用可能である。
図７は、画像形成装置の構成を示すブロック図であり、同図において、画像形成装置２００は、ホストコンピュータと接続するためのホスト接続装置２０１、ＦＡＸ回線に接続するためのＦＡＸ回線用接続装置２０２、ＬＡＮ等のネットワークへ接続するためのネットワーク接続装置２０３、画像形成装置の各種設定操作および実行指示を行うための操作部２０４、原稿台から画像をスキャンし画像データを作成するスキャナ装置２０５、作像装置や給排紙装置を備えたプリンタエンジン２０６、画像形成装置全体の制御、プリンタ言語処理、ファクシミリ制御、スキャナ制御、使用者認識処理、音声出力制御、画像データ編集処理および画像形成装置操作に対する制御等を行う制御コントローラ２０７、ファクシミリ受信した画像データ、交信記録や各機能で使用した画像データを保存する記憶装置２０８、使用者の操作結果に応じて音声を出力するスピーカやヘッドフォン等の音声出力装置２０９、使用者が発する操作指示の音声を入力する音声入力装置２１０とからなる。
【０００８】
このような画像形成装置２００において、プリンタ機能を利用する場合には、ホスト接続装置２０１を介してホストコンピュータから送信された印刷データ、または、ネットワーク接続装置２０３を介して接続されたコンピュータから送信された印刷データが制御コントローラ２０７の受信バッファに一時蓄えられ、制御コントローラ２０７でプリンタ言語処理に従い画像データに展開され、プリンタエンジン２０６に送られて印刷が実行される。
この画像形成装置２００のコピー機能を利用する場合には、制御コントローラ２０７の指示にしたがって、スキャナ装置２０５から読み取られた画像データをプリンタエンジン２０６に送って印刷が実行される。
また、使用者がこの画像形成装置２００を自由に取り扱える人である場合には、操作部２０４の操作パネルに表示された絵情報に従ってコピーの指示を与え、スキャナ装置２０５で読み取られた画像データを一旦記憶装置２０８へ格納しておき、制御コントローラ２０７の画像データ編集処理により、画像データの編集、複数画像の重ね合わせ等を実行したあと、その画像データをプリンタエンジン２０６によって印刷したり、ＦＡＸ回線用接続装置２０２によってＦＡＸ送信したりすることができる。
使用者がこの画像形成装置２００を自由に扱えない人である場合には、テンキー等の使用者に識別可能な入力装置または音声入力装置２１０によって与えられた操作指示に対して、その操作状況を音声出力装置２０９に出力される音や音声によって判断して、操作状況を確認して装置の機能を操作する。
また、画像形成装置２００のスキャナ装置２０５で読み取られた画像データ、ＦＡＸ回線用接続装置２０２を介して得たファクシミリ画像データやネットワーク接続装置２０３を介して得た画像データをホスト接続装置２０１やネットワーク接続装置２０３を介してコンピュータへ送信し、そのコンピュータのアプリケーションで受信した画像データを再加工するようにも使うことができる。
さらに、この画像形成装置２００は、ネットワーク接続装置２０３を介してインターネットに接続した画像データサーバから画像データを取り寄せて、プリンタエンジン２０６によって印刷することもできる。
【０００９】
図８は、画像形成装置２００における操作部２０４の正面図である。
操作部２０４の中央には、液晶表示部（ＬＣＤ）３０１およびタッチパネルが設けられている。この液晶表示部３０１には、画像形成装置２００に組み込まれている機能（ＦＡＸ、コピー、プリンタ等）に対する設定項目の表示が行われ、使用者はこの表示された設定項目に値を設定することによって画像形成装置２００の操作を行う。機能の切り替えは、液晶表示部３０１の左側に設けられた機能キー３０５によって行われる。
この液晶表示部３０１の右側には、各機能で共通に使用する各種テンキー３０２、クリア／ストップキー３０３、スタートキー３０４等の各種キーが配置されている。
以下、操作パネルに表示される視覚情報を利用せずに本装置を操作する「音声モード」にするには、まず、ヘッドフォンとマイクを備えたヘッドセットを挿入するか、または視覚障害者の個人識別用カードや非接触型のＩＣカードを認識するか、または特定のキーを押下する。
このような音声モードになると、使用者の操作結果は音声ガイドとなってヘッドフォンに出力される。
また、本装置は、複写機やファクシミリ装置等の装置ごとに、あらかじめ操作可能な頻繁に使う操作項目に集約し、それらの操作項目を機能別に分類し、その分類をさらに細分化していくというように多階層を持った単一のメニューを作成しておく。
使用者は、操作部２０４のテンキー３０２を用いて、この階層メニューの階層をたどって所望の設定項目に移動し、これを選択するという操作を繰り返して所望の設定を完了した後にスタートキー３０４を押下することによって、設定した値によって機能が実行される。
使用者による階層メニューの操作過程で、選択対象の機能説明や現在までの設定内容の説明を本装置から使用者へ音声、音やＢＧＭ（Back Ground Music）によってフィードバックすることで、本装置の操作部２０４の表示画面を見たり、タッチパネルからの入力をしなくても操作可能となる。ここで音声、音やＢＧＭを、リズムの遅速、音程の高低、設定項目の種類や処理状況および階層の深さ等に応じて変化させて出力することにより、一層使い勝手の良いものとなっている。
【００１０】
次に、本発明の実施の形態を説明する。
図１は本発明の機器操作装置が搭載された画像形成装置における操作パネルのレイアウト図であり、レイアウト上図８とは設定確認キーが加えられている。操作パネル１の中央には、液晶画面（ＬＣＤ）およびタッチパネルからなる液晶表示部２が設けられている。この液晶表示部２には、画像形成装置に組み込まれている機能（コピー、ＦＡＸ、プリンタ、スキャナ等）に対する設定項目の表示が行われ、利用者はこの表示された設定項目に値を設定することによって画像形成装置の操作を行う。
設定項目の値の設定は液晶表示部２上の項目を押下することにより行われるため、以降この操作を項目押下と呼ぶ。機能の切り替えは、液晶表示部２の左側に設けられた機能キー（Ｃｏｐｙ、Ｆａｘ、Ｐｒｉｎｔ、Ｓｃａｎｎｅｒ、ＮｅｔＦｉｌｅ）によって行われる。液晶表示部２の右側には各機能で共通に使用するテンキー（触覚により判断可能な入力手段）３、クリア／ストップキー４、スタートキー５、設定確認キー６等の各種キーが配置されている。
本画像形成装置において、液晶表示部２によって視認しつつ操作が行われる処理形態を「視覚モード」と呼ぶことにする。他方、機器の操作可能なすべての操作項目を機能別に分類し、その分類をさらに最終的な設定項目に至るまで細分化して多階層の木構造を持った階層メニューを作成し、この階層メニュー項目を選択または値設定することによって、視覚を用いない画像形成装置の操作が行われる処理形態を「非視覚モード」と呼ぶことにする。例えば、複写機能の多階層の木構造は、図６に示すような階層メニューに分類される。
モードが切り替わっても画像形成装置の設定状態を引き継ぐために、「非視覚モード」使用時には、階層メニュー上で選択した項目によって変化した画像形成装置の状態を液晶表示部２の表示に反映させる。また逆に、「視覚モード」使用時には、液晶表示部２上で押下した項目設定の状態を階層メニュー上の変化項目として管理する。以降では、これらの具体的な処理について説明する。
【００１１】
図２は本発明の機器操作装置が搭載された画像形成装置の機能構成図である。同図の装置は、メニュー制御部１１と、機器状態管理部１２と、機器操作の対象である機器本体１３と、表示部（図１の液晶表示部２の表示画面）２−１と、第１入力部（図１の液晶表示部２のタッチパネル）２−２および非視覚モード用の第２入力部１６とから構成される。
まず、「非視覚モード」における処理について説明する。「非視覚モード」で動作するように設定されている場合、項目は第２入力部１６から入力される。第２入力部１６は、図８の説明で前述したようにテンキーあるいは音声認識を行わせるためのマイクロフォン（音声を受け付ける入力手段）などに相当する。
メニュー制御部１１は、第２入力部１６の操作種類を判断して例えば図６に示すような階層メニュー上に配置された設定項目の移動・選択操作を行う。なお、「非視覚モード」では、項目位置や選択の結果を音声あるいは音で確認できる。
メニュー制御部１１が設定項目の選択を確定した場合は、確定した項目を項目設定通知として機器状態管理部１２に通知する。機器状態管理部１２は、メニュー制御部１１から通知された項目設定通知を受け取り、メニュー項目変換表を参照して、機器本体１３への項目押下情報に変換し、項目押下通知として機器本体１３に通知する。
【００１２】
図３はメニュー項目変換表を例示する関係図である。メニュー項目は、項目設定通知の内容であり、メニュー上で一意に定まる項目ＩＤを示している。この項目ＩＤは、図６の階層メニューに示した項目番号と一致させてあり、例えば、２２１（原稿２、濃度２２、自動２２１）は、原稿の読み取り濃度を自動に設定することを意味する。項目押下情報は、液晶表示部２のタッチパネルからの項目押下を機器本体１３に通知するための項目情報とそのパラメータとで構成される。
この変換表を用いると、例えば、メニュー制御部１１から６３１（フィニッシャ６、パンチ６３、縦穴６３１）という項目ＩＤが通知された場合、機器状態管理部１２は、図６に示すようにコピー後の用紙にパンチ穴を開けるための設定である項目情報ＫＥＹ＿ＰＵＮＣＨと縦方向を意味するパラメータ１に変換し、これらの項目情報とパラメータの組を項目押下通知として、機器本体１３に通知する。
すなわち、液晶表示部２のタッチパネル上で項目押下したときと同じ通知を行う。その後、機器本体１３は項目押下通知に従って、項目値を設定し、表示部２−１の表示状態を変化させる（例えば項目表示を白黒反転させる）。その後、表示状態の変化を項目表示通知として、機器状態管理部１２に通知する。機器状態管理部１２は、変化項目変換表を参照して設定が変更されたことを項目変更通知としてメニュー制御部１１に通知する。
【００１３】
図４は変化項目変換表を例示する関係図である。項目表示種別は、表示部２−１に表示されている項目の種類を示す。例えば、ＤＩＳＰ＿ＳＴＡＰＬＥ＿ＳＬＡＮＴは、コピー後の用紙に斜め方向にステープルするという項目表示である。機器本体１３からは、項目表示通知によってこれらの項目表示種別とその表示状態が送られる。
本実施例では、図５に示す３つの表示状態があり、０が非選択、１が選択、２が網掛けの表示である。網掛けは、現在の設定と組み合わせることができず、その項目を選択できない状況を表す。項目表示種別とその状態が機器状態管理部１２に通知されると、図４の変換表を用いて項目表示種別をメニュー項目ＩＤに変換する（前記ＤＩＳＰ＿ＳＴＡＰＬＥ＿ＳＬＡＮＴでは、フィニッシャ６、ステープル６２、斜め６２２に該当する）。その後、メニュー項目ＩＤと表示状態をメニュー制御部１１に通知する。以上に述べた処理によって、機器本体１３の表示状態と階層メニュー項目の選択・非選択の状態とを整合することができる。
斜めステープルの項目押下通知が行われたときの状態を例にあげる。この時、液晶画面２−１の表示は、ＤＩＳＰ＿ＳＴＡＰＬＥ＿ＳＬＡＮＴ、ＤＩＳＰ＿ＳＯＲＴが選択（１）、ＤＩＳＰ＿ＰＵＮＣＨ＿ＹＯＫＯが網掛け（２）に変化する。従って機器本体１３からは、これらの３つの項目表示種別と表示状態が機器状態管理部１２に通知される。
機器状態管理部１２では、変化項目変換表を用いて項目表示をそれぞれのメニュー項目ＩＤ  ６２２（斜め）、６１１（ソート）、６３２（横穴）に変換し、各表示状態と共にメニュー制御部１１に通知する。この後、メニュー制御部１１において、斜めステープル項目を確定している状態から横穴パンチ（ＩＤ  ６３２）に移動すると、音または音声によって設定できないことを報知するとともに、設定確定を禁止する。
以上の処理によれば、「非視覚モード」においても、「視覚モード」と同様に項目選択後の状態を表示部に表示できる。さらに、項目選択後の表示状態の変化を階層メニュー上でも管理できる。従って、「非視覚モード」から「視覚モード」に切り替えた場合でも、設定状態を引き継ぐことができる。
【００１４】
次に、「視覚モード」における処理について説明する。図２の第１入力部２−２は、「視覚モード」における入力操作を受け付ける部分であり、前述したように図１の液晶表示部２のタッチパネルに相当する。図２によれば、第１入力部２−２から項目押下が行われると、該当する項目の押下情報（図３の項目押下情報と同じ）が機器本体１３に通知される。その後、機器本体１３は押下情報に従って、項目値を設定し、表示部２−１の表示状態を変化させる。
すなわち、「視覚モード」において使用者は操作パネル１の画面表示とタッチパネル（第１入力部２−２）上に配置された項目を押下することによって各種の指示を与え、機器本体１３を操作する。また、設定された項目は、表示部２−１の表示状態が変化する（例えば白黒反転する）ので、視覚により確認できる。
以後は「非視覚モード」と同じ処理を行うことにより、タッチパネル上で項目押下を行った設定は、項目変更通知としてメニュー制御部１１に伝えられる。従って、「視覚モード」から「非視覚モード」に切り替えた場合でも、設定状態を引き継ぐことができる。
以上の構成により、「非視覚モード」、「視覚モード」間で設定内容の共有を図ることができる。従って、どちらかのモードにおいて操作内容がわからなくなっても、「視覚モード」利用者と「非視覚モード」利用者との間で互いに協力・支援することが可能になる。
ところで、本発明における第２入力部１６は機器操作装置からの着脱が可能であり、携帯電話などのように音声を入力できるマイクロフォン、あるいは、テンキーなど触覚的に判断可能なキーが装備されているものであればよい。この場合、使用者が日ごろ慣れ親しんだ入力機器を用いて、操作が行えるので、本発明の機器操作装置は、よりいっそう扱いやすいものとなる。
【００１５】
上述した実施形態を構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、これらのプログラムをコンピュータのメモリあるいは記憶装置に格納し、それを実行することによっても、本発明の目的が達成されることは言うまでもない。
この場合、記録媒体から読出されたプログラム自体が上述した実施形態の機能を実現することになり、そのプログラムおよびそのプログラムを記録した記録媒体も本発明を構成することになる。
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。
また、ロードしたプログラムを実行することにより上述した実施形態の機能が実現されるだけでなく、そのプログラムの指示に基づき、オペレーティングシステム等が実際の処理の一部または全部を行い、その処理によって上述した実施形態の機能が実現される場合も含まれる。
また、上述した実施形態の機能を実現するプログラムが、機能拡張ボードや機能拡張ユニットに備わるメモリにロードされ、そのプログラムの指示に基づき、その機能拡張ボードや機能拡張ユニットに備わるＣＰＵなどが実際の処理の一部または全部を行い、その処理によって、上述した実施形態の機能が実現される場合も含まれる。
さらに、上述したプログラムをサーバコンピュータの磁気ディスク等の記憶装置に格納しておき、通信網で接続された利用者のコンピュータからダウンロード等の形式で頒布する場合、このサーバコンピュータの記憶装置も本発明の記録媒体に含まれる。
【産業上の利用可能性】
【００１６】
以上のように、本発明にかかる機器操作装置及び画像形成装置は、視覚及び非視覚間の操作モード変更に有用であり、特に、視覚及び非視覚の整合性に富む装置に適している。
【図面の簡単な説明】
【００１７】
【図１】本発明の機器操作装置が搭載された画像形成装置における操作パネルのレイアウト図。
【図２】本発明の機器操作装置が搭載された画像形成装置の機能構成図。
【図３】メニュー項目変換表の例を示す関係図。
【図４】変化項目変換表の例を示す関係図。
【図５】項目表示の状態を示す関係図。
【図６】複写機能に関する階層メニュー項目の例を示す図。
【図７】従来の画像形成装置の構成を示すブロック図。
【図８】従来の画像形成装置の操作部のレイアウト図。
【符号の説明】
【００１８】
２−１  表示部（液晶画面）
２−２  第１入力部（タッチパネル）
１１  メニュー制御部
１２  機器状態管理部
１３  機器本体
１６  第２入力部
【図１】
2005104129.tif 000003
【図２】
2005104129.tif 000004
【図３】
2005104129.tif 000005
【図４】
2005104129.tif 000006
【図５】
2005104129.tif 000007
【図６】
2005104129.tif 000008
【図７】
2005104129.tif 000009
【図８】
2005104129.tif 000010